(57)【要約】【課題】穿孔用プラグと耐圧検査用プラグを兼用するプラグを採用することによりコストの低減と使い勝手の向上を図るサドル付分水栓を提供すること。【解決手段】合成樹脂製の給水管を差し込んでワンタッチで接続可能な継手１７を備えたサドル付分水栓１において、給水管連結部６の一方の開口部６ａに内向きのフランジ７を一体に設けると共に、穿孔及び耐圧検査の何れにも使用されるプラグ５０の雄ネジ５５を螺合させる雌ネジ１８ｃを当該給水管連結部６の他方の開口部６ｂに設け、プラグ５０は、先端のストッパー部５１にリング形パッキン６１を設けると共に、通孔５６を塞ぐキャップ６２を着脱可能に設け、プラグ５０を給水管連結部６に螺着することによってリング形パッキン６１がフランジ７の端面に押圧されて一方の開口部６ａを閉鎖する。【選択図】図１
0003185876.tif 000002
【実用新案登録請求の範囲】
【請求項１】
球形弁が内蔵された分水栓本体を水道本管の外周に固定されるサドルの中央開口部に縦向きに固定し、その球形弁に形成された縦向きの孔と直交する側部に、分岐する給水管を差し込んでワンタッチで接続可能な継手を備えた給水管連結部と、前記水道本管と該給水管とを連通する流路を開閉する当該球形弁の操作軸を夫々設け、前記水道本管に通水孔を穿設する穿孔機の先端部を挿入する挿入孔が該球形弁の孔を介して前記分水栓本体に形成されたサドル付分水栓において、
前記給水管連結部の前記球形弁に連通する側の一方の開口部に内向きのフランジを一体に設けると共に、穿孔及び耐圧検査の何れにも使用されるプラグの後端に形成された雄ネジを螺合させる雌ネジを当該給水管連結部の他方の開口部に設け、
前記プラグは、先端のストッパー部にリング形パッキンを設けると共に、軸部の中心に形成された通孔を塞ぐキャップを後端に着脱可能に設け、
前記プラグを前記給水管連結部に螺着することによって前記ストッパー部のリング形パッキンが前記フランジの端面に押圧されて前記一方の開口部を閉鎖するように構成したことを特徴とするサドル付分水栓。
【請求項２】
前記プラグは、前記キャップを後端に取り付けた場合に穿孔用とされ、前記キャップを取り外した場合に耐圧検査用とされることを特徴とする請求項１に記載のサドル付分水栓。
【考案の詳細な説明】
【技術分野】
【０００１】
本考案は、水道本管から家庭などに水道を引き込むために使用されるサドル付分水栓に関するものである。
【背景技術】
【０００２】
水道本管からサドル付分水栓を用いて水道水を分岐するには、水道本管に通水孔を設けなければならない。通水孔を開通する穿孔作業には、穿孔機が使用されている。サドル付分水栓を水道本管に固定し当該分水栓の給水管取り出し口に「穿孔用プラグ」を取付けた状態において、分水栓の上部から穿孔機の先端部を挿入して穿孔作業が行われる。
【０００３】
ところで、水道本管がダクタイル鋳鉄管の場合には、通水孔を開通する際に切粉が発生する。その切粉は、サドル付分水栓の給水管取り出し口から排出される構成が一般的とされている。詳しくは、通水孔が開通されるとほぼ同時に、水道本管の水圧作用により通水孔を通過した水道水が分水栓内部に流れ込んで穿孔作業中に生じた切粉を給水管取り出し口の方向へ押し流す。給水管取り出し口には、切粉を外部へ排出するための排出弁を取付けて回収処理を行うのが一般的である。
【０００４】
特許文献１には、通水孔穿孔方法、サドル付分水栓と閉栓プラグに関する技術事項が開示されている。具体的には、分水栓の給水管取り出し口に閉栓プラグを装着して密栓を施した状態において分水栓の上部から穿孔機を挿入して水道本管に通水孔を開通させる技術事項、閉栓プラグの先端を分水栓機構の内部まで挿入することにより継手嵌着機構部へ前記切粉の侵入を防止する技術事項などが記載されている。その閉栓プラグ（５）については、軸部に切粉排出孔（５５）を設けないもの（図１）と、切粉排出孔（５５）を設けたもの（図３）が開示されている。
【０００５】
当然のことながら、サドル付分水栓と水道本管との連結部分は、水密性が保持されなければならない。このため、サドル付分水栓は、その連結部分に相当する箇所にガスケットを装着する構造とされている。そして、通水孔を開通する穿孔作業に際して、ガスケットによる水密性が保持されているか否かの事前検査が行われている。その検査方法については、分水栓の給水管取り出し口に取り付けた「耐圧検査用プラグ」に形成された通孔に接続されるチューブを介してテストポンプを設置し、テストポンプから分水栓内部に圧力水を送ることによりガスケット部分からの漏水があるか否かが検査される。
【０００６】
サドル付分水栓を設置する場合には、通常、前記穿孔用プラグと耐圧検査用プラグの二つが必要とされている。それら穿孔用プラグと耐圧検査用プラグの二つのプラグは同一外観形態とされていて、給水管をワンタッチで接続可能な継手の内部と、水密性を保持するためのｏリングとに前記切粉が付着することを防止し、加えて、給水管の円滑な接続を行うために継手の内部に塗布される潤滑油が圧力水の進入によって流れ落ちる現象を防止する目的で使用されている。
【先行技術文献】
【特許文献】
【０００７】
【特許文献１】特開２００４−３３２８１１号公報
【考案の概要】
【考案が解決しようとする課題】
【０００８】
この考案の目的は、穿孔用プラグと耐圧検査用プラグを兼用するプラグを採用することによりコストの低減と使い勝手の向上を図るサドル付分水栓を提供することにある。
【課題を解決するための手段】
【０００９】
前記目的を達成するために請求項１に記載の考案は、球形弁が内蔵された分水栓本体を水道本管の外周に固定されるサドルの中央開口部に縦向きに固定し、その球形弁に形成された縦向きの孔と直交する側部に、分岐する給水管を差し込んでワンタッチで接続可能な継手を備えた給水管連結部と、前記水道本管と該給水管とを連通する流路を開閉する当該球形弁の操作軸を夫々設け、前記水道本管に通水孔を穿設する穿孔機の先端部を挿入する挿入孔が該球形弁の孔を介して前記分水栓本体に形成されたサドル付分水栓において、
前記給水管連結部の前記球形弁に連通する側の一方の開口部に内向きのフランジを一体に設けると共に、穿孔及び耐圧検査の何れにも使用されるプラグの後端に形成された雄ネジを螺合させる雌ネジを当該給水管連結部の他方の開口部に設け、
前記プラグは、先端のストッパー部にリング形パッキンを設けると共に、軸部の中心に形成された通孔を塞ぐキャップを後端に着脱可能に設け、
前記プラグを前記給水管連結部に螺着することによって前記ストッパー部のリング形パッキンが前記フランジの端面に押圧されて前記一方の開口部を閉鎖するように構成したことを特徴とするものである。
【００１０】
同様の目的を達成するために請求項２に記載の考案は、請求項１に記載のサドル付分水栓において、前記プラグは、前記キャップを後端に取り付けた場合に穿孔用とされ、前記キャップを取り外した場合に耐圧検査用とされることを特徴とするものである。
【考案の効果】
【００１１】
このサドル付分水栓によれば、穿孔用プラグと耐圧検査用プラグを１本で兼用するプラグを採用することにより、プラグの製作費コストの低減を図ることができる。さらに、穿孔作業と耐圧検査作業時において、従来の２本のプラグを付け替える作業が不要となり、プラグの通孔を塞ぐキャップを取り外す簡単な作業のみで済むことから大変使い勝手が良い。
【図面の簡単な説明】
【００１２】
【図１】本考案に係るサドル付分水栓の中央縦断面図
【図２】本考案に係るサドル付分水栓の要部を破断して示す斜視図
【図３】本考案に使用されるプラグを破断して示す斜視図
【図４】図２においてプラグのキャップを取り外した状態を示す斜視図
【考案を実施するための形態】
【００１３】
以下に、本考案の最良の形態例を図面に基づいて説明する。
【００１４】
本考案に係るサドル付分水栓１は、球形弁１５が内蔵された分水栓本体２をサドル３１の中央開口部３２に縦向きに固定すると共に、その球形弁１５の側部に、水道本管から分岐するための給水管をワンタッチで接続可能な継手１７を備えた給水管連結部６と、水道本管と給水管とを連通する流路（ｘ）を開閉する当該球形弁１５の操作軸１６を夫々設けた概要構造とされている。
【００１５】
詳しくは、図１に示すように、分水栓本体２は、水道本管（図示せず）の外周上側に固定される鋳鉄製サドル３１の中央開口部３２にその下端部２ａを螺着されて固定されている。その中央開口部３２の下部に形成された段付き穴３３には、リング形のガスケット３５が装着されている。ガスケット３５の上部３５ａは、分水栓本体２の下端部２ａの外周に形成された係止溝３に係合するように設けられている。３８は水道本管の外周下側に宛がわれる鋳鉄製バンドである。バンド３８の両端に装着された合成樹脂製ブッシュ３９に夫々通されるボルト４１の雄ネジ部４１ａが、サドル３１の両端に装着された合成樹脂製ブッシュ３４に夫々通されて各々の雄ネジ部４１ａにナット４５を夫々締め付けることにより、サドル付分水栓１が水道本管に固定されるように設けられている。
【００１６】
分水栓本体２には縦方向を貫く挿入孔４が形成されていて、そのほぼ中間位置の収容部２ｂに縦向きの孔１５ａと横向きの孔１５ｂを形成された球形弁１５が水密に内蔵されて横方向に回動可能に設けられている。その挿入孔４は、水道本管に通水孔（図示せず）を穿設する穿孔機（図示せず）の先端部を挿入するために設けられている。１６は分水栓本体２の側部たる収容部２ｂに形成された軸穴５に装着された球形弁１５の操作軸である。この操作軸１６を回転操作して球形弁１５を回動させることにより、水道本管と後述する給水管連結部の内方（給水管）とを連通する流路（ｘ）を開閉することができるように設けられている。かかる球形弁を用いる止水機構に関しては、一般的なサドル付分水栓と同様の公知機構である。
【００１７】
分水栓本体２の収容部２ｂの側方には、分岐する給水管（図示せず）を差し込んでワンタッチで接続可能な継手１７を備えた給水管連結部６が一体に設けられている。給水管連結部６には、前記球形弁１５の横向きの孔１５ｂに連通可能な一方の開口部６ａに内向きのフランジ７を一体に設けると共に、他方の開口部６ｂに雌ネジ８を設けている。１２は前記開口部６ｂ寄りの内方に突出するフランジ９の奥方に形成された周溝１０に装着したｏリング形状のパッキンである。
【００１８】
１８は先端に雄ネジ１８ａを形成すると共に内方のテーパー穴１８ｂに弾性変形可能な金属製ストッパーリング２１を挿入してリング２２により抜け止めを施した筒形状のアダプターである。そのストッパーリング２１の内面には複数の突条部２１ａが形成されていて、これら突条部２１ａが給水管の表面に食い込むことにより給水管の抜け防止を施すように設けられている。アダプター１８の後端には、後述するプラグ５０の雄ネジ５５を螺合させる雌ネジ１８ｃが設けられている。アダプター１８は、雄ネジ１８ａを給水管連結部６の雌ネジ８に螺合させることにより給水管連結部６に固定されるように設けられている。
【００１９】
しかして、分岐する給水管（図示せず）をアダプター１８から差し込んで給水管連結部６の奥まで、言い換えれば、給水管の先端がフランジ７に当接するまで挿入することにより、給水管をワンタッチで接続することができる継手１７が構成される。給水管が接続された状態においては、前記ｏリング形状のパッキン１２とリング形パッキン２１の内縁部が当該給水管の外周面に夫々弾接することにより水密性が保持されて漏水を防止するように設けられている。
【００２０】
前記収容部２ｂの上口２ｃには、球形弁１５を上から押えて回動自由に保持する筒形状の押さえ部材２５の下端部２５ａが螺着されている。２７は押さえ部材２５に被着されたキャップ、２８は該キャップ２７の内方に装着されたパッキンである。このキャップ２７は、前記穿孔機を分水栓本体２にセットして通水孔を開通させる場合に一旦取り外されるが、通水孔を開設した後には被着される。
【００２１】
図１、図２に示すように、プラグ５０は、先端のストッパー部５１に形成された周溝５２にリング形パッキン６１を装入するように設けると共に、ストッパー部５１から延びる軸部５３と一体に形成される後端のヘッド５４の大径部５４ａに雄ネジ５５を設けている。この雄ネジ５５は、前記アダプター１８の雌ネジ１８ｃに螺合可能に設けられている。その軸部５３の中心に形成された通孔５６には、後記耐圧検査時に使用されるテストポンプのチューブ（図示せず）と接続するためのテーパーネジ５６ａが設けられている。テーパーネジ５６ａを設けた小径の突部５４ｂには雄ネジ５７を形成し、その雄ネジ５７に通孔５６を塞ぐキャップ６２を着脱可能に設けている。
【００２２】
以上により、プラグ５０を給水管連結部６のアダプター１８に螺着することによってストッパー部５１のリング形パッキン６１が当該給水管連結部６のフランジ７の端面に押圧されて一方の開口部６ａを閉鎖することができる本考案に係るサドル付分水栓１が構成される。
【００２３】
なお、プラグ５０にキャップ６２を取り付けた場合には穿孔用とされ、キャップ６２を取り外した場合に耐圧検査用とされる。
【００２４】
本考案に係るサドル付分水栓１において、操作軸１６を回転操作することにより球形弁１５が回動して止水と通水を行うことができる機能・作用については公知のサドル付分水栓と同様であることから、説明を省く。
【００２５】
（穿孔用としてのプラグ）
通水孔を開通する穿孔作業を行う場合には、図２に示すように、プラグ５０を給水管連結部６に取り付けると共にキャップ６２を取付けるものとする。これにより、穿孔作業中に発生する切粉が給水管連結部６の内部に流出することを防止し、ｏリング形状のパッキン１２の損傷と、同パッキン１２に塗布される潤滑油の脱落を防止することができる。
【００２６】
（耐圧検査用としてのプラグ）
前述したように前記穿孔作業を行う前段階として、水道本管とサドル付分水栓との間に水密性が保持されているかについて確認する作業が行われる。そして、図４に示すように、キャップ６２を外してから、プラグ５０のテーパーネジ５６ａにテストポンプのチューブを接続し、テストポンプから通孔５６を介して分水栓の内部へ圧力水を供給して漏水の有無が検査される。
【００２７】
以上に述べたとおり、このサドル付分水栓は、従来２本必要とされていた穿孔用プラグと耐圧検査用プラグを１本のプラグで兼用することができるので、プラグの製作費コストの低減を図ることができる。さらには、穿孔作業と耐圧検査作業時において、２本のプラグを付け替える作業が不要となり、プラグの通孔を塞ぐキャップを取り外す簡単な作業のみで済むことから大変使い勝手が良い。
【符号の説明】
【００２８】
１・・・本考案に係るサドル付分水栓
２・・・分水栓本体
４・・・挿入孔
６・・・給水管連結部
６ａ・・・一方の開口部
６ｂ・・・他方の開口部
７・・・フランジ
１２・・・ｏリング形状のパッキン
１５・・・球形弁
１６・・・操作軸
１７・・・継手
１８ｃ・・・雌ネジ
３１・・・サドル
５０・・・プラグ
５１・・・ストッパー部
５５・・・雄ネジ
５６・・・通孔
６１・・・リング形パッキン
６２・・・キャップ
（ｘ）・・・流路
【図１】
0003185876.tif 000003
【図２】
0003185876.tif 000004
【図３】
0003185876.tif 000005
【図４】
0003185876.tif 000006